(57)【要約】【課題】しぼりの詰りを防止して、空包発射時の残渣の、銃口周囲への飛散を防止できる小銃の空包発射用銃口装置を提供する。【解決手段】空包発射時に紙塞などの残渣を含んだ発射ガスが銃口２ａから前方に射出される。射出された発射ガスの一部は拡散燃焼室３５内に拡散し、留まる。拡散した発射ガスに含まれる残渣は、高温の発射ガスにより再度燃焼され、発射ガスに含まれる残渣量を著しく少なくした状態でしぼり３３から拡散室４１へと流入する。こうしてしぼり３３を通過する発射ガスに含まれる残渣は拡散燃焼室３５で再燃させた分、少なくなり、しぼり３３を詰まらせてしまう不都合を長期に亘って回避でき、発射ガスの必要以上の高圧化を防いで、ガス圧作動機構６５の破損を防止できる。【選択図】  図３
2005009721.tif 000002
【特許請求の範囲】
【請求項１】
銃身前端に取り付けるケーシングに、空包発射時の銃身内のガス圧低下を防ぐしぼりを設けて小銃のガス圧作動機構を動作させるようにした空包発射用の銃口装置において、銃身先端と前記しぼりとの間に、空包発射時におけるガス圧作動機構を動作させるためのガス圧を維持し、空包発射時に発生する紙塞、不燃薬等の残渣を含んだ発射ガスを拡散させ、拡散した発射ガスに含まれる残渣を発射ガスで再燃させるようにその容積を設定した拡散燃焼室を設けたことを特徴とする空包発射用銃口装置。
【請求項２】
ケーシングには、前記しぼりの前方に、少なくとも筒状のフィルタを備えた拡散室が形成されていることを特徴とする請求項１記載の空包発射用銃口装置。
【請求項３】
拡散燃焼室は銃身先端の直径よりも大径に設定されていることを特徴とする請求項１または２記載の空包発射用銃口装置。
【発明の詳細な説明】
【０００１】
【発明の属する技術分野】
本発明は、ガス圧作動式小銃用の空包発射用の銃口装置に関する。
【０００２】
【従来の技術】
ガス圧作動式の小銃では、射撃時に銃腔内の発射ガスをシリンダに導いてシリンダ内のガスピストンを後退させ、そのガスピストンの移動を利用してスライドを後復座させて排莢、装填、機関部のコックを行なっている。実弾射撃時には、銃腔内を弾頭が塞ぎつつ射出されることで発射ガスの圧力を保持して上記ガスピストンを動作させているが、空包発射時には発射ガスの圧力を保持する弾頭が存在しないので、発射ガスの低下を防止する工夫を必要とする。そのため、特許文献１では、銃口先端のケーシングの発射ガス通過孔にしぼりを形成して空包発射時の発射ガス圧の低下を防止して上述の銃のガス圧作動機構を動作させるとともに、しぼり前方に銃口から射出される残渣（空包の先端部を塞いでいる紙塞、不燃薬（燃えなかった火薬）など）を拡散し、濾過するフィルタ室を形成して、上記残渣が銃口付近に飛散することを防止するようにしている。特許文献２には、上述したガス圧作動式の小銃が開示されている。
【０００３】
【特許文献１】
特許第３００６４４４号公報
【特許文献２】
特公平４−７８９１８号公報
【０００４】
【発明が解決しようとする課題】
特許文献１のものでは、銃口先端としぼりとの間の発射ガス通過孔は銃身先端とほぼ同じ直径であり、また、銃口としぼりも接近しているために銃口から出た残渣を含んだ発射ガスは、その発射ガス通過孔で形成される空間では、空間容積が不足するために拡散されることがなく、従って残渣もその空間に滞留できず、発射ガスによって再燃されることなく直接しぼりに飛び込む。そのため、その残渣がしぼりに詰まり、発射ガスが必要以上に高圧となって銃のガス圧作動機構を破損するなどの不都合が発生していた。また、残渣がフィルタ室で拡散されて銃口周囲に飛散することが防止されてはいるが、フィルタ室へ流れ込む残渣量が多いため、フィルタが短期に目詰まりする問題もある。
この発明は、しぼりの詰りを防止できて銃のガス圧作動機構を破損せず、しかも、空包発射時の紙塞、不燃薬、その他の残渣の、銃口周囲への飛散を防止できる空包発射用銃口装置を提供することを目的とする。
【０００５】
【課題を解決するための手段】
上記課題解決のため、本願空包発射用銃口装置では、銃身前端に取り付けるケーシングに、空包発射時の銃身内のガス圧低下を防ぐしぼりを設けて小銃のガス圧作動機構を動作させるようにした空包発射用の銃口装置において、銃身先端と前記しぼりとの間に、空包発射時におけるガス圧作動機構を動作させるためのガス圧を維持し、空包発射時に発生する紙塞、不燃薬等の残渣を含んだ発射ガスを拡散させ、拡散した発射ガスに含まれる残渣を発射ガスで再燃させるようにその容積を設定した拡散燃焼室を設けたことを特徴とする。これによれば、空包発射時に銃口先端から射出された発射ガスがしぼり手前に設けられた拡散燃焼室で拡散され、その発射ガスに含まれる残渣が滞留した状態で高温の発射ガスにより再燃されるため、しぼりを通過する発射ガス内に含まれる残渣量を極めて少なくできる。その結果しぼりが残渣で詰まることが防止され、また、僅かな残渣が銃口周囲に飛散するに留めることができる。
ケーシングには、前記しぼりの前方に、少なくとも筒状のフィルタを備えた拡散室が形成されていると好適である。これによれば、しぼりを通過した発射ガスに少量の残渣が含まれていてもフィルタで濾過できて、銃口周囲へ残渣が飛散することを殆ど無くすことができる。また、フィルタで濾過する量が少ないため、フィルタの目詰まりも少なくなる。
具体的には、拡散燃焼室は銃身先端の直径よりも大径に設定されており、残渣を含んだ発射ガスがしぼりに流入する直前に拡散されて残渣が留まるような大きさに設定してある。
【０００６】
【発明の実施の形態】
実施の形態について図面を参照して説明する。図１において、ガス圧作動式の小銃の銃身１の先端の雄ねじ部２を利用して、本願銃口装置１０が取り付けられている。銃口装置１０において、ケーシング１１は段付きのケーシング基体１２と、カバー１３とからなる。ケーシング基体１２の小径部１４には雌ネジ部１５が形成されており、この雌ねじ部１５を銃身先端の雄ねじ部２に螺合してロックナット１６で弛み止めされる。ケーシング基体１２の大径部１７内側にも雌ねじ部１８が形成され、その雌ねじ部１８にカバー１３の基部１９外周の雄ネジ部２０が螺合されている。カバー１３の軸線先端は閉じられた前壁２１となっているが、カバー１３の円筒状の外周壁２２には、複数のガス抜き孔２３が半径方向に開口している。
【０００７】
カバー１３は内側がフィルタ収容孔２５となっている。ノズル部材３０は、フィルタ収容孔２５に外周が嵌め込まれる大径部３１と、その大径部３１に連続する小径部３２とを備えた段付き形状となっている。小径部３２には、銃口２ａと対向する位置に小径のしぼり３３が形成されている。そのしぼり３３の直前位置（銃口側）には銃身先端直径より大径とした拡散孔３４が設けてある。ノズル小径部３２外周には筒状のフイルタ４０の一端部内周が嵌め込まれており、カバー１３の基部１９をケーシング基体１２の大径部１７の雌ねじ部１８に螺合することによって、フィルタ４０とノズル部材３０がケーシング基体１２の大径部１７の底面２７と前壁２１との間に一体に挟持組み付けされている。その組み付け状態において、前記拡散孔３４によりケーシング基体１２の内側に拡散燃焼室３５が形成されている。拡散燃焼室３５の容積やしぼり３３の孔径は、空包射撃時の残渣を多く含んだ発射ガスが拡散燃焼室３５で拡散され、かつ、ガスがしぼり３３から外部へ射出されても小銃のガス圧作動機構６５を動作させるのに必要かつ適正なガス圧となるように設定されている。拡散燃焼室３５は、この実施形態では銃身先端直径よりも大きくしてある分、軸線長さが短く設定されている。
【０００８】
前述のフイルタ４０は金属粒子（例えばステンレス粒子等）を焼結し、隣合う粒子間に微細孔を有する焼結金属や、積層焼結金網等の多孔質材料によって構成されている。積層焼結金網は公知のもので、平織り金網を多数枚重ね合わせ加圧焼結し、金網の各交点および各層の接触点を溶着したものであり、網目は各重なりあう金網により分断され、微細でしかも複雑に屈曲した立体的な濾過孔を持つものである。筒状のフイルタ４０とカバー１３の前壁２１とノズル部材３０とによりしぼり３３前方に拡散室４１が形成されている。この拡散室４１はしぼり３３より大きな内径であり、拡散室４１内でしぼり３３を通過した発射ガスが拡散することにより発射ガスに含まれている残渣が濾過され易くなっている。
【０００９】
空包発射時に空包の頭部を塞いでいた紙塞や不燃薬などの残渣を多く含んだ発射ガスが銃身１の銃腔１ａを通って銃口２ａから前方に射出される。しぼり３３が小銃の口径より小さく、そのしぼり３３の直前に容積の大きな拡散燃焼室３５が設けてあるため、銃口２ａ先端から射出された発射ガスは、一部はしぼり３３から前方の拡散室４１へ直接流れ込むが、一部はノズル部材３０の前壁に当たって拡散燃焼室３５内に拡散し、留まる（図３）。そのように拡散燃焼室３５で拡散して滞留した発射ガスに含まれる残渣は、高温の発射ガスにより再度燃焼され、発射ガスに含まれる残渣量を著しく少なくした状態でしぼり３３から拡散室４１へと流入する。こうしてしぼり３３を通過する発射ガスに含まれる残渣は、従来に比較して拡散燃焼室３５で再燃させた分、少なくなっているため、しぼり３３を詰まらせてしまう不都合を長期に亘って回避でき、発射ガスの必要以上の高圧化を防いで、ガス圧作動機構６５の破損を防止できる。
【００１０】
こうしてしぼり３３を通過した発射ガスは、再度拡散室４１で拡散してフイルタ４０により濾過されてガス抜き孔２３から外気に排出されるが、拡散室４１に入り込む残渣量が従来に比べて少なくなっているため、フィルタ４０で濾過されてガス抜き孔２３から外気に排出される発射ガスには残渣が殆ど含まれていない状態となり、極く僅かな残渣が銃口周囲に飛散するに留めることができ、また、その残渣の飛散エネルギもフィルタ４０で減少されるため、銃周囲の人身に危害を与える危険領域が著しく小さくなる。また、フイルタ４０で濾過すべき残渣量も少ないことから、フイルタ４０の目詰まりも少なくなり、フイルタ４０を外して目詰まりを解消するメンテナンス回数も少なくできる。尚、フィルタ４０は、カバー１３とケーシング基体１２との螺合を解除して取り外しできる。
【００１１】
次に、図４を用いて他の実施形態を示す。この例では、ケーシング基体１２Ａは、内側に拡散孔３４が形成された大径頭部１７Ａと取り付け用の細径軸部１４Ａとから成る。細径軸部１４Ａ内側は、銃身１の銃腔１ａとほぼ同じ径の通過孔１４Ａａが貫通形成されている。大径頭部１７Ａ外周に長手に長いカバー１３Ａの基部が螺合され、カバー１３Ａと大径頭部１７Ａとの間にノズル部材３０Ａが挟持され、ノズル部材３０Ａと拡散孔３４とで囲まれて拡散燃焼室３５が形成されている。この実施形態では拡散孔３４の直径は、銃身先端直径とほぼ同じであるが、軸線方向長さを大きく設定して、発射ガスがしぼり３３直前で拡散してガスに含まれる残渣が滞留し、そうして滞留している間に残渣を高温の発射ガスで再燃できるような容積にしてある。カバー１３Ａ内側には、筒状フイルタ４０が嵌め込まれ、フイルタ４０内側が拡散室４１となっていることは、前記実施形態と同じである。この形態の銃口装置１０Ａは、銃身１先端の雄ネジ部２に予め消炎制退器６０を螺合し、その消炎制退器６０に、ケーシング基体１２の細径軸部１４Ａ外周を螺合して、ロックナット１６Ａで弛み止めして取り付ける。この形態でも、銃口２ａから射出された残渣を含んだ発射ガスの一部はしぼり３３に入る前に拡散燃焼室３５に留まって再燃されるので、前記実施形態同様、しぼり３３を通過する発射ガスに含まれる残渣量を著しく減少させることができる。
【００１２】
上記の実施形態では、しぼりの前方（発射方向前方）にさらにフイルタを内蔵した拡散室を備えたため、しぼりを通過した発射ガスに含まれる微量の残渣をも確実にフイルタで濾過して、銃周囲には残渣が殆ど飛散しないものとなっているが、しぼりを通過する発射ガスに含まれる残渣量が従来に比して少なくできるので、上記フイルタ内蔵の拡散室を省略して実施してもしぼりを出て銃周囲に飛散する残渣による危険範囲は従来に比べて大幅に狭くなり、人員に危害を及ぼすおそれが小さくできる。
【００１３】
【発明の効果】
以上のように本願では、空包発射時に銃口先端から射出された残渣がしぼり手前に設けられた拡散燃焼室で拡散されて高温の発射ガスにより再燃されるので、しぼりを通過する発射ガス内に含まれる残渣量を極めて少なくでき、しぼりが詰まることが防止できて、発射ガスが必要以上に高圧とならず、ガス圧作動機構を破損することがない。また、しぼりを通る残渣量が従来に比べて少なくなるため、銃口周囲への飛散量も減少する。
また、本願では、しぼりを通過した発射ガスに含まれる少量の残渣を、フイルタで濾過できて、銃口周囲へ残渣が飛散することを殆ど無くすことができる。また、フイルタで濾過する量が少なくなるため、フイルタの目詰まりも少なくなり、フイルタを洗浄する回数を大幅に減らすことができる。
【図面の簡単な説明】
【図１】本発明の銃口装置の縦断面図である。
【図２】図１の銃口装置の外観図である。
【図３】動作説明図である。
【図４】他の実施形態を示す縦断面図である。
【符号の説明】
１  銃身
１０・１０Ａ  銃口装置
１１  ケーシング
３３  しぼり
３５  拡散燃焼室
４０  フィルタ
４１  拡散室
【図１】
2005009721.tif 000003
【図２】
2005009721.tif 000004
【図３】
2005009721.tif 000005
【図４】
2005009721.tif 000006